(57)【要約】【課題】  散水栓等に対するボックス本体の包囲機能を確保すると共に、地中に設けられている配管に設置された散水栓等までの高さ及び地面の形態に合う状態で蓋の面の位置を調整することが可能な散水栓等保護用ボックスを提供することである。【解決手段】  散水栓等保護用ボックス１は、地中の適宜深さに設置した散水バルブ５の周囲を囲ませる筒形のボックス本体２と、このボックス本体２の開口上端部２ａを閉じる蓋３とからなる保護用ボックスにおいて、ボックス本体２が長尺の管体を所要長さに切断して形成されていると共に該管体の上端部に前記蓋３を開閉可能に設けてなることを特徴とする。【選択図】図２
2005097978.tif 000002
【特許請求の範囲】
【請求項１】
地中の適宜深さに設置した散水栓等の周囲を囲ませる筒形のボックス本体と、このボックス本体の開口上端部を閉じる蓋とからなる保護用ボックスにおいて、前記ボックス本体が長尺の管体を所要長さに切断して形成されていると共に該管体の上端部に前記蓋を開閉可能に設けてなることを特徴とする散水栓等保護用ボックス。
【請求項２】
前記ボックス本体の底部に、散水栓等を固定する配設孔と水抜き孔を有する底板が設けられてなる請求項１に記載された散水栓等保護用ボックス。
【請求項３】
前記ボックス本体と前記蓋との間に蓋受枠が設けられてなる請求項１又は２に記載された散水栓等保護用ボックス。
【発明の詳細な説明】
【技術分野】
【０００１】
本発明は、予め地中に埋設されている配管に連結して設置するようにした散水栓等の周囲を囲むように所定の深さに埋設使用する保護用ボックスに関するものである。
【背景技術】
【０００２】
家屋や公園の敷地面等には予め地中に配管が埋設され、この配管の所要位置に量水計や散水栓（以下、散水栓等という）が設置される。このように埋設設置する散水栓等に対しては、通常、周囲を保護するための開閉蓋を設けた保護用のボックスが地中に埋設使用されるのである。
【０００３】
ところで、上記配管や散水栓等と保護用ボックスの設置工事は一般的に異なる業者によって行われることが多い。このため、配管に連結して設置される散水栓等までの距離は様々で一定していない。この配管本体は設置する地表面に沿う状態で設置されるが、散水栓等の連結を容易にするため、配管端部分については地表面に対し鉛直な向きに設けられている。
【０００４】
従来の散水栓等保護用ボックスは、特許文献１に開示されているように、筒形のボックス本体と、このボックス本体の開口上部が蓋で閉じられてなるものが一般的である。この散水栓等保護用ボックスは、予め地中に設けられた散水栓等に対し、ボックス本体により散水栓等の周囲を囲う状態でボックス本体は地中に埋設される。この場合、散水栓等保護用ボックスのボックス本体が障害とならないように、蓋の表面のみが地面に露出するように地中に埋設されることが要請される。また散水栓等保護用ボックスが設置される地面の形態は様々であり、設置すべき地面が傾斜していることも多い。また、地面についても仕上がり後に高さが変動することがある。
【０００５】
設置される散水栓等保護用ボックスの全体が地中に埋設されるため、ボックス本体の蓋の高さが配管端に設けられている散水栓等の高さが蓋と衝突しないことが求められると共に、ボックス本体等が一定の強度を有していることが求められる。
【０００６】
特許文献１の従来の散水栓等保護用ボックスは、ボックス本体や蓋等が鋳鋼等の金属材や塩化ビニル樹脂等の樹脂材などで形成され、しかもボックス本体に対し蓋が予め一体的に組み合わせられた状態で構成されている。さらに散水栓等をこのボックス内に正確かつ安定な状態で設置するのに、ボックス本体に対し底板が設けられ、さらにボックス本体の開口上部に設けられる蓋との整合を図るため蓋受枠が設けられていることもある。
【特許文献１】特開２００２−１４６８５４号公報
【発明の開示】
【発明が解決しようとする課題】
【０００７】
従来の散水栓等保護用ボックスについては、地面に設置する際、ボックス本体から蓋を切り離して、ボックス本体における蓋の高さ位置や蓋の載設形態を選択的に調整することが必要となる。
【０００８】
しかしながら、前記した特許文献１のような従来の散水栓等保護用ボックスでは、ボックス本体とこのボックス本体の開口上部を閉じる蓋とが予め一体的に組み合わせられて形成されているので、常に一体的に利用することを求められる。このため、ボックス本体と蓋とを分離することができないので、予め地中の配管に設けられている散水栓等までの高さや設置すべき地面に合わせて散水栓等保護用ボックスを設置することが困難である。        
【０００９】
そこで、本発明は、散水栓等に対するボックス本体の包囲機能を確保すると共に、地中の配管に設置された散水栓等までの高さ及び地面の深さに合わせた状態で蓋の面の位置を調整することが可能な散水栓等保護用ボックスを提供することを目的とした。
【課題を解決するための手段】
【００１０】
上記した目的を達成するため、本発明の散水栓等保護用ボックスは、地中の適宜深さに設置した散水栓等の周囲を囲ませる筒形のボックス本体と、このボックス本体の開口上端部を閉じる蓋とからなる保護用ボックスにおいて、前記ボックス本体が長尺の管体を所要長さに切断して形成されていると共に該管体の上端部に前記蓋を開閉可能に設けてなることを特徴とする。
【００１１】
上記本発明の散水栓等保護ボックスでは、ボックス本体が、長尺の管体の端部を地中に設けられている配管に設置された散水栓等までの高さや地面の形態に合わせて切断することにより形成されるから、予め配管に設置された散水栓等までの高さや設置する地面が傾斜していても、前記ボックス本体に散水栓等を収容する状態で、その開口上端の蓋の高さや蓋の面が地面に沿って得ることができる。
【００１２】
本発明の散水栓等保護用ボックスには、ボックス本体の底部に散水栓等を固定する配設孔と水抜き孔を有する底板が設けられ、さらにボックス本体と蓋との間に蓋受枠が設けられてなる構成を含む。
【００１３】
この散水栓等保護用ボックスは、ボックス本体の底部が底板で支持され又は／及び蓋が蓋受枠に支持されることにより、全体として安定かつ強化された構成が得られる。
【発明の効果】
【００１４】
前記したように本発明の散水栓等保護用ボックスは構成されることから、次のような効果が発揮される。
【００１５】
本発明の散水栓等保護用ボックスについては、現場での設置に際し、載設された蓋の面までの高さや開口上端部が長尺の管体を地面の形態に合うようにボックス本体を切断して得られるから、地中の配管に設置された散水栓等の高さ及び地面からの深さに合わせて、ボックス本体の開口上端部に設けた蓋の面が地面に沿う状態で保護用ボックスを地中に設置することが可能となる。
【００１６】
また、ボックス本体の底部に散水栓等を固定する配設孔と水抜き孔を有する底板が設けられることにより、正確な位置であってしかも位置が偏りなく固定するように散水栓等の位置調整を行うことができる。
【００１７】
また、ボックス本体と蓋との間に蓋受枠が設けられると、蓋受枠の径は常に一定に得られることから、長尺の管体の端部を切断して得られ開口上部の径の大きさに違いが生じたボックス本体の開口上端に蓋をより安定した状態で載設することができる。
【発明を実施するための最良の形態】
【００１８】
次に、発明を実施するための最良の形態を図に基づいて説明する。
【００１９】
図１には、散水栓等保護用ボックス１を分解図で示した。散水栓等保護用ボックス１は、筒形のボックス本体２とこのボックス本体２の開口上端を閉じる蓋３とからなる。
【００２０】
ボックス本体２は、現場での設置時に、長尺の管体の端部を切断することにより得られたものである。すなわち、特に既存の管材の高さが地面の配管に設置されている散水栓等より高くなるように裁断されると共に、設置地面の傾斜形態に合わせるように、長尺の管体の一端部が切断されることにより得られたものである。２ａは切断による開口上端部、２ｂは開口部、２ｃはボックス本体２の下端部、及び２ｄは水抜き孔である。
【００２１】
長尺の管体としては、内径１５４ｍｍφ（外径１６５ｍｍφ）等の一般的な円管形状のほか、矩形状等の多様な筒形形状の市販されている合成樹脂製、鋼製等の筒形のものを使用することができる。
【００２２】
長尺の管体の高さが地面の配管に設置されている散水栓等の高さに合わせて適切に切断されているので、配管に設置されている散水栓等を包囲した状態でボックス本体２を設けて、散水栓等保護用ボックス１における蓋３を含むボックス本体２の上部部分が地面から突出して障害となるのを防止できる。同時に地面の傾斜角度に合わせて、ボックス本体２はその管軸２ｅの直交軸２ｆと水平軸２ｇとの角度αであるように切断される。この場合、ボックス本体２の下端部２ｃは地面に沿った形態で得られる。ただし、ボックス本体２の下端部２ｃは既存の管材当初の断面形態のままである。なお、下端部２ｃの端部についてもこれと同様に切断されていてもよい。
【００２３】
蓋３は、傾斜角度αで傾斜するボックス本体２の開口上端部２ａを閉じるように載設される。既存の管材が直交軸２ｆに沿って切断される場合、開口上端部２ａの口形は楕円形となり、その楕円形の長径部分が当初の円形の口径より僅かに大きくなるが、蓋３はその係止壁部３ｃにより係止された状態で開口上端２ａで支持される。３ａはホース出し用の切欠部、３ｂは下壁面に沿って立設されている係止壁部、３ｃは上面中央部に障害とならないように面一に設けられている取手、及び３ｄは壁表面上に設けられている滑り止用の切欠き形状である。蓋３には、図示しないが、その裏面にリブを設けて機械的強度を大きくすることも可能である。
【００２４】
図２に示すように、地面４の設置凹部４ａにおける凹部底４ｂには予め給水配管７が地面４に略鉛直な向きに設けられている。この給水配管７の開口部には散水バルブ５の供給口が嵌め込まれた状態で設置されている。
【００２５】
この散水バルブ５が設けられた地面４に散水栓等保護用ボックス１を設置する際に、地面４の設置凹部４ａに任意の長さを有する長尺の管体を挿入して後、地面４の表面の傾斜形態に合わせて、長尺の管体の一端部を切断加工することにより、ボックス本体２が形成される。その後、開口上端部２ａに蓋３が載設して地面４の中に埋設される。この場合、ボックス本体２は散水栓等の高さ位置より高く切断できるから、散水バルブ５が蓋３の内面と衝突することはなく、しかもボックス本体２の開口上端部２ａは傾斜角度は地面４に沿ってαの角度であるから蓋３の上面位置が地面４の表面に沿った状態で得られる。
【００２６】
ボックス本体２の開口上端部２ａは、切断後の開口長径が当初の開口径と比べ僅かに大きくなるが、その係止立壁３ｂで開口上端２ａに安定状態で係止支持されるので、開口上端部２ａに載設された状態の蓋３の面が地面４の傾斜に合わせた状態となる。したがって、ボックス本体２の内部に散水バルブ５が予め所定位置に収容された形態で散水栓等保護用ボックス１を地面４に設置することができる。また、ボックス本体２の滞留水については主に水抜き孔２ｄからボックス本体２の内部から外部へ排出される。なお、滞留水については直接地面から排出されることもある。
【００２７】
このように散水栓等保護用ボックス１のボックス本体２は、設置する地面４の形態に合わせてボックス本体２の高さと角度が切断加工されることから、散水栓等保護用ボックス１におけるボックス本体２及び蓋３を障害なく地面４に沿って設置できる。したがって、蓋３の面は地面４の傾斜形態に沿った状態で得られる。また、蓋３はそのボックス本体２での載設状態を自在に解除することができるから、ボックス本体２に対し、蓋３を自在に開閉することも可能である。
【００２８】
散水バルブ５の接続口５ａには挿入することにより散水用のホース６が連結されている。また、このホース６の一部は蓋３の切欠き孔３ａを介して外部へ露出できる。散水バルブ５では、この外部に露出したホース６から、給水口５ｂへ供給されたの給水を接続口５ａから放出することが可能であるので、地面４の内部に埋設状態で設置した散水栓等保護ボックス１の上部部分が地面４から突出することはない。
【００２９】
図３には、本発明に係る他の実施の形態の散水栓等保護用ボックス１０を示した。散水栓等保護ボックス１０は、前記したボックス本体２に対し、さらに底板１１及び蓋受枠１２が設けられた構成のものである。
【００３０】
底板１１にはボックス本体２が支持されている。底板１１には基板１１ａと立壁部１１ｄとによって形成されている。基板１１ａの板面には、散水バルブ支持孔１１ｂ及び水抜き孔１１ｃがそれぞれ貫通した状態で設けられている。
【００３１】
蓋３の支持は蓋受枠１２の上縁部で支持されるように載設される。蓋受枠１２は、前記同様にボックス本体２の切断による大きな径の開放上端部２ａに載設される。この場合、蓋受枠１２はその下周壁部１２ａを介して係止されてボックス本体２の開口上端部２ａに載設される。このように蓋３は常に蓋受枠１２の上部に載設されることになるから、蓋３は安定した状態でボックス本体２に載設することができる。
【００３２】
図４に示すように、散水栓等保護用ボックス１０についても、前記した散水栓等保護用ボックス１と同様に、散水栓等保護用ボックス１０についても地面４の中に埋設状態で設置される。
【００３３】
ボックス本体２の滞留水は、前記したように水抜き孔２ｄから外部へ排出されるほか、水抜き孔１１ｃからも排出される。
【００３４】
散水バルブ５は底板１１の上部に支持される。ボックス本体２は下端部２ｃが底板１１の立壁部１１ｄに嵌入した状態で、基板１１ａに散水バルブ５が支持されことになる。また設置位置に設けられている散水バルブ５が基板部１１ａに固定されることにより、散水バルブ５が所定の位置にあるように配設される。なお、図４に示す散水バルブ１３としては、その継手部１４の通路内部に水の逆流防止用のチャッキ弁等が設けられ、また端部にホース６の接続口１３ａが地面４に対し略垂直に設けられた形態のもの等の多様な形態のものを利用することができる。１３ｂは散水バルブ１３の下端に設けられている給水口であり、前記同様に給水用配管７の端部に連結されている。
【００３５】
このように散水栓等保護用ボックス１０によれば、ボックス本体２が配管に設置された散水栓等までの高さに合わせて設けることができると共に、蓋３の面が地面４に合った形態で設置できる。さらに蓋３が蓋受枠１２によって常に安定した状態で載設され、さらに底板１１によりボックス本体２の設置状態についても強化されている。またボックス本体２の下端部２ｃを底板１１に接着しておくこともできる。しかも散水バルブ５が所定の位置に配設できるように設置できるから、散水栓等保護用ボックスについて、全体としてより堅固な散水栓等保護用ボックスの構成を得ることができる。
【００３６】
上記した各散水栓等保護用ボックス１、１０は、いずれも表面が傾斜している地面４に設置する場合を示したが、地面４の表面が傾斜しない水平状態の場合にあっては、ボックス本体２の高さだけを調整するように切断加工するだけでよい。
【図面の簡単な説明】
【００３７】
【図１】本発明に係る実施の形態の散水栓等保護用ボックスの分解斜視図である。
【図２】本発明に係る実施の形態の散水栓等保護用ボックスの使用形態を説明する縦断面図である。
【図３】本発明に係る他の実施の形態の散水栓等保護用ボックスの分解斜視図である。
【図４】本発明に係る他の実施の形態の散水栓等保護用ボックスの使用形態を説明する縦断面図である。
【符号の説明】
【００３８】
１、１０  散水栓等保護用ボックス
２  ボックス本体
２ａ  開口上端部
２ｂ  開放部
２ｃ  下端部
２ｄ  水抜き孔
２ｅ  管軸
２ｆ  直交軸
２ｇ  水平軸
３  蓋
３ａ  切欠き孔
３ｂ  係止壁部
４  地面
４ａ  設置凹部
４ｂ  凹部底
５  散水栓バルブ
５ａ  接続口
１１  底板
１１ａ  基板部
１１ｂ  散水バルブ支持孔
１１ｃ  水抜き孔
１１ｄ  立壁部
１２  蓋受枠
１２ａ  下周壁部
【図１】
2005097978.tif 000003
【図２】
2005097978.tif 000004
【図３】
2005097978.tif 000005
【図４】
2005097978.tif 000006